(57)【要約】【課題】想定外に反射率が高い場合においても、外光に応じて確実に調光制御を行い、省エネルギーを図ることができる照明装置を提供する。【解決手段】照明装置１０は、光源１７の光出力を調光制御可能な点灯回路１８と、光源１７の被照射面の反射光を検出し電圧に変換する照度検出部１４と、所定の光出力における検出値を基準値として記憶する基準値記憶部２９と、基準値に応じて演算により目標値を求めて記憶する目標値記億部２９と、照度検出部が出力する検出値が、目標値と略一致するように照明器具１１の光出力の調節を行う制御部３１と、を備え、基準値あるいは目標値に限度値を設けた。【選択図】図３
2010097898.tif 000002
【特許請求の範囲】
【請求項１】
光源の光出力を調光制御可能な点灯回路と、
前記光源の被照射面の反射光を検出し電圧に変換する照度検出部と、
所定の前記光出力における検出値を基準値として記憶する基準値記憶部と、
前記基準値に応じて演算により目標値を求めて記憶する目標値記億部と、
前記照度検出部が出力する検出値が、前記目標値と略一致するように照明器具の光出力の調節を行う制御部と、
を備えた照明装置において、
前記基準値、あるいは前記目標値に、限度値を設けたことを特徴とする照明装置。
【請求項２】
前記光出力の調光比に相当する調光係数のデータテーブルを有し、
前記目標値記億部が、複数から選択した所望の前記光出力に応じた前記調光係数を基準値に掛け合わせた値を前記目標値として記憶することを特徴とする請求項１記載の照明装置。
【請求項３】
前記基準値記億部が、前記照度検出部が検出可能な最大値よりも低めに上限値を設け、前記光出力１００％時の検出値が前記上限値を超える場合は、前記上限値を前記基準値として記憶することを特徴とする請求項１または２記載の照明装置。
【請求項４】
前記目標値記億部が、前記照度検出部が検出可能な前記検出値の最大値よりも低めに前記上限値を設け、演算により求まる前記目標値が前記上限値を超える場合は、前記上限値を前記目標値として記憶することを特徴とする請求項１または２記載の照明装置。
【請求項５】
前記基準値記億部が、前記照度検出部が検出する有効範囲の最小値よりも高めに下限値を設け、前記光出力１００％時の前記検出値が前記下限値未満の場合は、前記下限値を前記基準値として記憶することを特徴とする請求項１〜４のいずれか１項記載の照明装置。
【請求項６】
前記目標値記憶郎が、前記照度検出部が検出する前記有効範囲の前記最小値よりも高めに前記下限値を設け、演算により求まる前記目標値が前記下限値未満の場合は、前記下限値を前記目標値として記憶することを特徴とする請求項１〜４のいずれか１項記載の照明装置。
【請求項７】
前記照度検出部が、前記光源の前記被照射面の反射光を検出し電圧に変換する際に、前記上限値と前記下限値の範囲内に設けた閾値を超える場合に前記閾値の範囲内に入るように感度抵抗を切替えることを特徴とする請求項１、２、５または６記載の照明装置。
【請求項８】
前記基準値記億部が、所定の前記光出力の検出において、前記光源の前記被照射面の反射光を検出し電圧に変換する際にのみ、前記上限値と前記下限値の範囲内に設けた前記閾値を超える場合に前記閾値の範囲内に入るように前記感度抵抗を切替えることを特徴とする請求項１、２、５または６記載の照明装置。
【発明の詳細な説明】
【技術分野】
【０００１】
本発明は、例えば住宅の居室において、床面や机上面などの被照射面の平均照度をほぼ一定に保つ照明装置に関し、特に、昼光に応じて自動調光を行うことにより省エネルギーが可能な照明装置に関する。
【背景技術】
【０００２】
従来から、オフィスなどの天井面に設置される照明器具の被照射面の照度を一定に保つために多くの技術が提案されている。
【０００３】
そこで、本発明者は、所定の光出力値に対応する目標値を自動的に設定して、オフィス等のレイアウト変更などによって被照射面の反射率に変動を生じても被照射面の照度を一定に保てるようにした照明器具を既に提案した（例えば、特許文献１参照）。
【０００４】
このような照明器具では、光源により照明される被照射面の照度を反射光により測定する照度センサと、照度センサの出力値に基づいて被照射面の照度が一定となるように光源の光出力を制御する制御部と、を備え、電源投入ごとに光出力を変化させて、光出力のない状態での照度センサの出力値および光出力のある状態での出力値との対応関係に基づいて所定の光出力値に対応する目標値を設定してから、照度センサの出力値が目標値となるように光出力を制御する。
【特許文献１】特開２００５−２４３３１４号公報（図１、段落番号００３４）
【発明の開示】
【発明が解決しようとする課題】
【０００５】
しかしながら、上記特許文献１に開示された照明器具を住宅用の主照明に用いる場合、住宅の環境は、オフィスの環境と比べ、部屋(空間)が比較的狭く、壁、床、敷物などの色、材質の違いや、テーブルの有無など多種多様であり、それらの影響を受けやすいために、対応すべく被照射面の反射率の変化幅が広くなる。
【０００６】
例えば、オフィス用であれば、センサ部を照明器具本体から離れた位置に設置できるので、反射率の影響を抑制できる。しかし、住宅用のシーリングライトなどでは、使用者が工事を伴わずに容易に設置できるように照明器具に一体構造にする必要がある。そのため、照明器具直下の反射率の影響を受けやすい。
【０００７】
さらに、例えば、光出力を１００％から１０％まで調光制御可能なものにおいて、明るさ目標値の設定を調光レベル１００％から２０％まで可能だとすると、センサ電圧は約５倍変化することになる。そのため、目標値の設定を行う際、被照射面の反射率が想定外に高いと、目標値が照度センサの出力可能な最大値に設定される虞がある。
【０００８】
例えば、調光レベル（光出力）と検出値との関係を調べた結果、照度検出部が検出可能な最大値は５Ｖであり、ある高い反射率において動作するものとする。このとき、調光レベル１００％時の目標値は５Ｖに設定されるため、外光により検出電圧が上昇した場合、いくら外光が室内に差込んでも照度センサの出力が５Ｖ以上は検出できない（センサ出力値＝最大値＝目標値）ため、動作しない（調光されない）という問題点がある。
【０００９】
また、センサ電圧の低い電圧領域において、アナログ/デジタル（A/D）変換精度の影響が大きくなり、明るさ一定制御の精度が悪くなるといった問題点もある。
【００１０】
これらの問題点は、事前に、ある程度これらの変化幅を想定したうえで設計により対応できるが、センサ電圧のレンジ（センサ感度）を多段階に切り替える必要があり、動作が複雑となる。
【００１１】
反射率の補正を行い、演算により改めて目標値を設定する場合、余裕度を考慮した設計を行うことが困難となるため、目標値の設定範囲や調光制御の動作範囲を制限しなければならなくなる場合もある。
【００１２】
本発明は、前述した要望を満たすためになされたもので、その目的は、想定外に反射率が高い場合においても、外光に応じて確実に調光制御を行い、省エネルギーを図ることができる照明装置を提供することにある。
【課題を解決するための手段】
【００１３】
本発明に係る照明装置は、光源の光出力を調光制御可能な点灯回路と、光源の被照射面の反射光を検出し電圧に変換する照度検出部と、所定の前記光出力における検出値を基準値として記憶する基準値記憶部と、前記基準値に応じて演算により目標値を求めて記憶する目標値記億部と、前記照度検出部が出力する検出値が、前記目標値と略一致するように照明器具の光出力の調節を行う制御部と、を備えた照明装置において、前記基準値、あるいは前記目標値に、限度値を設けたことを特徴とする。
【００１４】
本発明においては、基準値あるいは目標値に限度値を設けることにより、目標値が検出可能な最大値に設定される。
よって、想定外に反射率が高い場合においても、外光に応じて確実に調光制御を行い、外光が入っても調光されないという状態を防止することができる。
また、電力の無駄使いを防止して省エネルギーを図ることができる。
【００１５】
本発明に係る照明装置は、前記光出力の調光比に相当する調光係数のデータテーブルを有し、前記目標値記億部が、複数から選択した所望の前記光出力に応じた前記調光係数を基準値に掛け合わせた値を前記目標値として記憶することを特徴とする。
【００１６】
本発明においては、光出力の調光比に相当する調光係数のデータテーブルを有し、目標値記億部が、複数から選択した所望の光出力に応じた調光係数を基準値に掛け合わせた値を目標値として記憶する。
よって、反射率の違いに因らず被照射面の照度がほぼ一定となるように、照度検出電圧のずれを確実に補正することができる。
【００１７】
本発明に係る照明装置は、前記基準値記億部が、前記照度検出部が検出可能な最大値よりも低めに上限値を設け、前記光出力１００％時の検出値が前記上限値を超える場合は、前記上限値を前記基準値として記憶することを特徴とする。
【００１８】
本発明においては、基準値記億部が、照度検出部が検出可能な最大値よりも低めに上限値を設け、光出力１００％時の検出値が上限値を超える場合は、上限値を基準値として記憶する。
よって、反射率の違いに因らず被照射面の照度がほぼ一定となるように、照度検出電圧のずれを確実に補正することができる。
【００１９】
本発明に係る照明装置は、前記目標値記億部が、前記照度検出部が検出可能な前記検出値の最大値よりも低めに前記上限値を設け、演算により求まる前記目標値が前記上限値を超える場合は、前記上限値を前記目標値として記憶することを特徴とする。
【００２０】
本発明においては、目標値記億部が、照度検出部が検出可能な検出値の最大値よりも低めに上限値を設け、演算により求まる目標値が上限値を超える場合は、上限値を目標値として記憶する。
よって、反射率の違いに因らず被照射面の照度がほぼ一定となるように、照度検出電圧のずれを確実に補正することができる。
【００２１】
本発明に係る照明装置は、前記基準値記億部が、前記照度検出部が検出する有効範囲の最小値よりも高めに下限値を設け、前記光出力１００％時の前記検出値が前記下限値未満の場合は、前記下限値を前記基準値として記憶することを特徴とする。
【００２２】
本発明においては、基準値記億部が、照度検出部が検出する有効範囲の最小値よりも高めに下限値を設け、光出力１００％時の検出値が下限値未満の場合は、下限値を基準値として記憶する。
よって、反射率の違いに因らず被照射面の照度がほぼ一定となるように、照度検出電圧のずれを確実に補正することができる。
【００２３】
本発明に係る照明装置は、前記目標値記憶郎が、前記照度検出部が検出する前記有効範囲の前記最小値よりも高めに前記下限値を設け、演算により求まる前記目標値が前記下限値未満の場合は、前記下限値を前記目標値として記憶することを特徴とする。
【００２４】
本発明においては、目標値記憶郎が、照度検出部が検出する有効範囲の最小値よりも高めに下限値を設け、演算により求まる目標値が下限値未満の場合は、下限値を目標値として記憶する。
よって、反射率の違いに因らず被照射面の照度がほぼ一定となるように、照度検出電圧のずれを確実に補正することができる。
【００２５】
本発明に係る照明装置は、前記照度検出部が、前記光源の前記被照射面の反射光を検出し電圧に変換する際に、前記上限値と前記下限値の範囲内に設けた閾値を超える場合に前記閾値の範囲内に入るように感度抵抗を切替えることを特徴とする。
【００２６】
本発明においては、照度検出部が、光源の被照射面の反射光を検出し電圧に変換する際に、上限値と下限値の範囲内に設けた閾値を超える場合に閾値の範囲内に入るように感度抵抗を切替える。
よって、反射率の違いに因らず被照射面の照度がほぼ一定となるように、照度検出電圧のずれを確実に補正することができる。
【００２７】
本発明に係る照明装置は、前記基準値記億部が、所定の前記光出力の検出において、前記光源の前記被照射面の反射光を検出し電圧に変換する際にのみ、前記上限値と前記下限値の範囲内に設けた前記閾値を超える場合に前記閾値の範囲内に入るように前記感度抵抗を切替えることを特徴とする。
【００２８】
本発明においては、基準値記億部が、所定の光出力の検出において、光源の被照射面の反射光を検出し電圧に変換する際にのみ、上限値と下限値の範囲内に設けた閾値を超える場合に閾値の範囲内に入るように感度抵抗を切替える。
よって、反射率の違いに因らず被照射面の照度がほぼ一定となるように、照度検出電圧のずれを確実に補正することができる。
【発明の効果】
【００２９】
本発明の照明装置によれば、所定の光出力における検出値を基準値として記憶する基準値記憶部と、基準値に応じて演算により目標値を求めて記憶する目標値記億部と、照度検出部が出力する検出値が、目標値と略一致するように照明器具の光出力の調節を行う制御部と、を備え、基準値、あるいは目標値に、限度値を設けた。
これにより、想定外に反射率が高い場合においても、外光に応じて確実に調光制御を行い、省エネルギーを図ることができるという効果を有する。
【発明を実施するための最良の形態】
【００３０】
以下、本発明の複数の実施形態に係る照明装置について、図面を参照して説明する。
【００３１】
（第１実施形態）
図１、図２に示すように、本発明の第１実施形態である照明装置１０は、住宅用シーリングタイプの照明器具１１と赤外線式のリモコン装置１２とで構成されている。
【００３２】
照明器具１１は、その枠体１３の一部に照度検出部（センサ部）１４を組み込んでいる。照明器具１１は、その円盤状の筐体１５の中央に器具固定部兼電源接続部１６を配置している。器具固定部兼電源接続部１６は、天井面１に設置されている不図示の引掛け式の器具取付部兼交流電源供給部に電気的に接続可能に取付けられる。照度検出部１４は、後述する蛍光灯１７の被照射面の反射光を検出して電圧に変換する。
【００３３】
照度検出部１４には、例えばCdS（硫化カドウミウム）やPD（フォトダイオード）或いはフォトICのような明るさを検出できるセンサ素子を適用する。なお、センサ素子としては、可視光成分のみを検出するための赤外カット機能を内蔵したものでも良く、或いは外部に赤外カットフィルタを別途設けても良い。
【００３４】
照度検出部１４の取付け位置については、照明器具１１の直接光を検出しなければ、配置は特に限定されるものではない。例えば検知範囲に自由度を持たせるために照度検出部１４を照明器具１１から独立して離した位置に組み付けても良い。
【００３５】
照明器具１１の筐体１５には、主光源である蛍光灯１７、蛍光灯１７の点灯回路１８およびリモコン受信部１９を、蛍光灯１７の光を下面方向、すなわち天井面１に対向する床面方向へ反射させるための反射板２０とともに組み付けている。照明器具１１は、その下面を、透光性を有する樹脂製のカバー２１で覆われている。照明器具１１および蛍光灯１７は、図示した丸型ではない、例えば角型であっても良い。また、カバー２１を備えない下面開放形のペンダントタイプであってもよい。主光源は、蛍光灯１７に代えて白熱灯でも良い。
【００３６】
リモコン受信部１９は、赤外線のリモコン信号Ｑを受光するための受光素子２２とＬＥＤ（発光ダイオード）常夜灯２３とで構成されている。ＬＥＤ常夜灯２３は、ＬＥＤに代えて豆電球であっても良い。主光源が白熱灯の場合、及びＬＥＤ常夜灯２３が豆電球の場合、それらの点灯、調光制御は交流電源を位相制御することにより行うのが好ましい。リモコン受信部１９および点灯回路１８等の構成、器具構造、配置については、図示したものに限定されることはない。
【００３７】
リモコン装置１２は、リモコン信号Ｑを送信するための赤外線ＬＥＤ２４と、照明器具１１の操作を行うための操作ボタン２５と、各種設定を行うための設定ボタン２６と、を備えている。リモコン信号Ｑを送受信する通信手段は、赤外線でなくても良く、例えば微弱無線や特定小電力無線等であっても良い。
【００３８】
図３にも示すように、リモコン受信部１９は、駆動部２７と、演算部２８、記憶部２９、タイマ部３０を内蔵した制御部（マイコン）３１、とを備えている。記憶部２９は、所定の光出力における検出値を基準値として記憶する不図示の基準値記憶部および基準値に応じて演算により目標値を求めて記憶する不図示の目標値記億部を内蔵している。制御部３１は、格納されているプログラムに従い、照度検出部１４が出力する検出値が、所望の明るさに対応した目標値と略一致するように光出力の調節を行う自動調光機能を有し、各々の動作を司る。
【００３９】
点灯回路１８は、フィルタ３２を通じて交流電源に接続されることにより直流電力を出力する力率改善部３３と、力率改善部３３が出力した直流電力を交流電力にインバート変換して蛍光灯１７に供給するインバータ部３４と、制御部３５とを備える。
【００４０】
リモコン装置１２は制御部３６を備えている。操作ボタン２５の主な用途は、蛍光灯１７の全灯、調光、ＬＥＤ常夜灯２３の点灯、調光レベルを上げる、調光レベルを下げる、消灯、自動調光（照度一定制御)である。
【００４１】
設定ボタン２６は、目標値を設定するための不図示の明るさ設定ボタンと、被照射面の反射率の違いによる検出電圧のずれを補正するための不図示の補正ボタンとを備えている。
【００４２】
次に、照明装置１０の基本的な動作の一例として、蛍光灯１７の全灯を行う場合について説明する。
【００４３】
リモコン装置１２の操作ボタン２５における全灯ボタンを押すと、赤外線ＬＥＤ２４から蛍光灯１７の全灯を行うためのリモコン信号Ｑが送信される。
【００４４】
照明器具１１はリモコン受信部１９の受光素子２２がリモコン信号Ｑを受信する。リモコン受信部１９は、制御部３１でリモコン信号Ｑを判別し、蛍光灯１７の全灯を行うための調光信号を出力する。
【００４５】
調光信号は、例えばデューティ信号（約１ＫＨｚの動作周波数を有する。）であり、デューティの比率を変えることにより調光制御を行う。
【００４６】
このとき、リモコン受信部１９は、その記憶部２９に、調光比に応じたデューティのデータテーブルが予め格納されており、受信したリモコン信号Ｑに応じたデューティ信号を出力する。
【００４７】
照明器具１１は、デューティ信号に応じて連続的に１０〜１００％の範囲で調光できる蛍光灯器具であり、デューティ信号のデューティ比率が１００％のときに定格出力の１００％の点灯を行い、デューティ比率が１０％のときに１０％の点灯を行うように設定されている。
【００４８】
ここで、照度検出部１４からの出力は、入射光に応じて例えば０〜５Ｖの範囲に設定されており、０Ｖのときは入射光なし（暗状態）、５Ｖのときは入射光が最大（明状態）である。リモコン受信部１９と点灯回路１８とは信号線で接続されており、点灯回路１８の制御部３５が調光信号を受け、インバータ部３４の出力を全灯出力にする。これにより、蛍光灯１７を全灯させる。
【００４９】
次に、照明装置１０の自動調光機能について説明する。
【００５０】
リモコン装置１２の操作ボタン２５に有する自動調光ボタンを押すと、まず目標値の設定を行った調光レベルで点灯を行い、照度計測値が目標値と一致するよう照明器具１１の出力を制御する。
【００５１】
このとき、リモコン受信部１９の制御部３１は、全灯出力（１００％）時の被照射面の平均照度が７００Ｌｘ、下限出力（１０％）時が７０Ｌｘであるとして、目標値を５６０Ｌｘ（出力８０％相当）に設定しているものとする。
【００５２】
リモコン受信部１９の制御部３１は、外光がゼロ（０）のときに光出力を８０％に設定し、外光が増えるに従い光出力を下げながら照度検出値がほぼ５６０Ｌｘの一定となるようフィードバック制御する。
【００５３】
外光が４９０Ｌｘ以上では、光出力が１０％以下には下がらないため、外光増加に応じて被照射面の平均照度も５６０Ｌｘ以上に増加することになる。また、消灯させた場合は、外光が５６０Ｌｘ以上で照度一定制御範囲外となる。
【００５４】
ところで、照明装置１０を設置する部屋の壁、カーペットや床の色、テーブルの有無などによって被照射面の反射率は大きく異なる。そのため、被照射面の照度が同じであっても照度検出電圧に大きな差が生じる。
【００５５】
反射率が高い部屋では、照度検出値が高くなり光出力を下げることになるため、目標照度よりも暗く、これに反して、反射率が低い部屋では、照度検出値が低くなり光出力を上げることになるため、目標照度よりも明るくなってしまう。そこで、反射率の違いに因らず被照射面の照度がほぼ一定となるように、照度検出電圧のずれの補正を行う必要が生ずる。
【００５６】
以下に具体的な補正および目標値設定手段の例を示す。
【００５７】
（第１補正手段）
外光や他光源の影響がない状態（例えば、夜間カーテンを閉め、周囲の照明を消した状態）でリモコン装置１２の設定ボタン２６に有する補正ボタンを押すと、蛍光灯１７を全灯点灯（１００％出力）してから照度の測定を行い、その測定値を基準値として記憶部２９の基準値記億部に記憶する。すなわち、この基準値が、ある環境における反射率補正後の１００％出力時の目標値となる。
【００５８】
図４にも示すように、このとき、検出可能な最大値５Ｖよりも低い４．５Ｖを上限値として予め設定しておき、基準値との比較を行う。基準値が上限値を超える場合（直線Ａ）は、上限値４．５Ｖを基準値（点ａ）として記億部２９に記憶する。上限値の設定はフィードバック制御の許容範囲（例えば目標値の±５％以内であれば一致していると判断する）を考慮して、確実に動作するよう検出可能な最大値と明らかな差を設ける必要がある。
【００５９】
各調光レベルに応じた目標値（外光を含まない照明器具のみの明るさ）の設定は、調光レベル（光出力）に応じた調光係数（調光比）のデータテーブルを有しており、演算部２８において複数から選択した所望の調光レベル（光出力）に応じた調光係数（調光比）を、基準値に乗じた値を目標値として記憶部２９の目標値記億部に記憶する。
【００６０】
例えば、基準値が４．５Ｖで、光出力の設定レベルを１００％とした場合は、４．５Ｖに調光係数１を乗じた値４．５Ｖが、これとは異なり、光出力の設定レベルを７０％とした場合は、４．５Ｖに調光係数０．７を乗じた値８．１５Ｖが目標値となる。
【００６１】
目標値が検出値よりも低く設定されるため、自動調光を開始すると、フィードバック制御により、設定した目標値と等しくなるよう調光制御を行う。
【００６２】
目標値が点ａ（出力１００％）の場合の動作点は点a’（出力約７０％）へ、これとは異なり、目標値が点ｂ（出力７０％）の場合の動作点は点ｂ’（出力約５０％）へとなる。さらに外光がある場合は、外光の増減に応じてフィードバック制御を行う。
【００６３】
（第２補正手段）
外光や他光源の影響がない状態（例えば、夜間カーテンを閉め、周囲の照明を消した状態）でリモコン装置１２の設定ボタン２６に有する補正ボタンを押すと、蛍光灯１７を全灯点灯（１００％出力）してから照度の測定を行い、予め記億部２９に記憶している全灯時の基準値に対する比率を演算部２９で求め、補正係数として記憶する。
【００６４】
基準値は事前に反射率が高い部屋、低い部屋の反射率の違いを測定して平均値を設定しておくとよい。例えば、基準値が２Ｖであるとして、測定値が６．５Ｖであれば、補正係数は３．２５となる。
【００６５】
目標値（外光を含まない照明器具のみの明るさ）の設定は、まず、蛍光灯１７を所望の調光レベルで点灯させ、リモコン装置１２の設定ボタン２６に有する明るさ設定ボタンを押すことで、そのときの調光レベルを記憶する。このとき、複数の所定の調光レベルから選択できるものであってもよい。
【００６６】
各調光レベルに応じた目標値の設定は、予め調光レベル（光出力）に応じた基準値のデータテーブルを有しており、演算部２８において設定した調光レベルに応じた基準値に補正係数を乗じた値を目標値として記憶部２９の目標値記億部に記憶する。
【００６７】
例えば、光出力の設定レベルを１００％とした場合は、２Ｖに補正係数８．２６を乗じた値６．５Ｖが、これとは異なり、光出力の設定レベルを７０％とした場合は、１．４Ｖに調光係数３．２５を乗じた値４．５５が目標値となる。このとき、検出可能な最大値５Ｖよりも低い４．５Ｖを上限値として予め設定しておき、比較を行う。
【００６８】
図５にも示すように、直線Ａにおいて演算により求めた目標値が上限値を超える場合（点aおよび点ｂ）は、上限値４．５Ｖを目標値として記憶部２９の目標値記億部に記憶する。
【００６９】
目標値が検出値よりも低く設定されるため、自動調光を開始すると、フィードバック制御により、設定した目標値と等しくなるよう調光制御を行う。
【００７０】
目標値が点ａ（出力１００％）および点ｂ（出力７０％）の場合の動作点は出力約７０％付近となる。さらに外光がある場合は、外光の増減に応じてフィードバック制御を行う。なお、補正係数に同様な上限を設けてもよい。また、出力５０％時の目標値（点ｃ）は上限値未満であるため、そのまま直線Ａ上に設定される。
【００７１】
第１補正手段および第２補正手段はいずれを選択しても良いが、基準値の上限、下限を設定する場合は、第１補正手段のほうが適している。このような上限値の設定動作は、マイコンのプログラムによって自動的に行われる。
【００７２】
本実施形態では、基準値および目標値に上限を設けることにより、目標値が検出可能な最大値に設定される。
よって、外光が入っても調光されないという状態を防止することができる。
【００７３】
本実施形態では、光出力の調光比に相当する調光係数のデータテーブルを有し、記憶部２９の目標値記億部が、複数から選択した所望の光出力に応じた調光係数を基準値に掛け合わせた値を目標値として記憶する。
よって、反射率の違いに因らず被照射面の照度がほぼ一定となるように、照度検出電圧のずれを確実に補正することができる。
【００７４】
本実施形態では、記憶部２９の基準値記億部が、照度検出部１４が検出可能な最大値よりも低めに上限値を設け、光出力１００％時の検出値が上限値を超える場合は、上限値を基準値として記憶する。
よって、反射率の違いに因らず被照射面の照度がほぼ一定となるように、照度検出電圧のずれを確実に補正することができる。
【００７５】
本実施形態では、記憶部２９の目標値記億部が、照度検出部１４が検出可能な検出値の最大値よりも低めに上限値を設け、演算により求まる目標値が上限値を超える場合は、上限値を目標値として記憶する。
よって、反射率の違いに因らず被照射面の照度がほぼ一定となるように、照度検出電圧のずれを確実に補正することができる。
【００７６】
（第２実施形態）
次に、本発明の第２実施形態の照明装置について説明する。なお、以下の各実施形態において、上述した第１実施形態と重複する構成要素や機能的に同様な構成要素については、図中に同一符号あるいは相当符号を付することによって説明を簡略化あるいは省略する。また、以下の各実施形態においては、それらの構造は上述した第１実施形態と同一であるために構造の説明は省略し、調光レベルと検出値との関係図のみを示す。
【００７７】
センサ電圧の低い領域においても、センサ素子の暗電流領域、センサ素子の検出精度、検出電圧のA/D変換精度などの要因で明るさ一定制御の精度が悪くなるため、使用範囲を制限する必要がある。そのため、第２実施形態の照明装置４０では、センサ電圧の有効範囲の最小値よりも高めに基準値、あるいは目標値の設定を予め行う。
【００７８】
図６にも示すように、基準値の設定は、調光レベルと検出値の関係において、直線の傾きが大きいほど反射率が高いことを示す。基準値（出力１００％時の検出値）の下限値を１Ｖに設定した場合、直線Ａは検出値（点ａ）＞基準値（点ｄ）となるため、出力７０％時の目標値は点ｂ、出力５０％時の目標値は点ｃといったように、直線Ａ上に目標値が設定される。
【００７９】
直線Ｂのように検出値（点ｇ）＜基準値（点ｄ）となる場合は、直線Ｃ上に出力１００％，７０％，５０％時の目標値が各々点ｄ，点ｅ，点ｆといったように設定される。
【００８０】
実際の検出値より目標値が大きい場合は、その差分以上外光を検出した場合に調光出力を下げる。なお、調光動作範囲の下限が最小値より大きくなるよう下限値を設定することが望ましい。
【００８１】
図７にも示すように、目標値の設定は、下限値を１Ｖに設定した場合、直線Ａでは出力５０％のときに検出値が下限値を下回るため、点ｃ（下限値）に目標値が設定される。
【００８２】
直線Ｂのようにすべての出力で下限値を下回る場合は、出力１００％，７０％，５０％時の目標値がすべて下限値（点ｄ，点ｂ，点ｃ）に設定される。
【００８３】
実際の検出値より目標値が大きい場合は、その差分以上外光を検出した場合に調光出力を下げる。なお、調光動作範囲の下限が最小値より大きくなるよう下限値を設定することが望ましい。このような下限値の設定動作は、マイコンのプログラムによって自動的に行われ、反射率の低い暗めの環境下でも、精度よくフィードバック制御を行うことができる。
【００８４】
本実施形態では、記憶部２９の基準値記億部が、照度検出部１４が検出する有効範囲の最小値よりも高めに下限値を設け、光出力１００％時の検出値が下限値未満の場合は、下限値を基準値として記憶する。
よって、反射率の違いに因らず被照射面の照度がほぼ一定となるように、照度検出電圧のずれを確実に補正することができる。
【００８５】
本実施形態では、記憶部２９の目標値記憶郎が、照度検出部１４が検出する有効範囲の最小値よりも高めに下限値を設け、演算により求まる目標値が下限値未満の場合は、下限値を目標値として記憶する。
よって、反射率の違いに因らず被照射面の照度がほぼ一定となるように、照度検出電圧のずれを確実に補正することができる。
【００８６】
（第３実施形態）
次に、本発明の第３実施形態の照明装置について説明する。
【００８７】
図８にも示すように、第３実施形態の照明装置５０では、所定の光出力の検出において、蛍光灯１７の被照射面の反射光を検出し電圧に変換する際、基準値あるいは目標値の上限値と下限値の範囲内（内側）に、閾値（上限閾値、および下限閾値）を設け、検出値が閾値を超える場合に閾値の範囲内に入るように感度抵抗を切替える。
【００８８】
上限値と下限値の範囲内（内側）に、閾値（上限閾値、および下限閾値）を設けることで、閾値範囲内でありながら、上限値や下限値に設定されることを防ぎ、確実に感度抵抗を切替えることができる。
【００８９】
例えば、ある反射率（直線Ａ）における基準値（点ａ）は閾値内であり感度抵抗の切替えは行わない。これとは異なり、直線Ｂにおける基準値（点ｂ）は下限閾値未満であるため、閾値内に納まるよう予め設定された感度抵抗を大きくなるよう切替える。直線Ｃにおける基準値（点ｃ）は上限閾値を越えるため、閾値内に納まるよう予め設定された感度抵抗を小さくなるよう切替える。一度で閾値内に入らない場合は、予め設定された切替え可能な感度抵抗の範囲内で閾値内に納まるまで以上の動作を繰り返し行う。
【００９０】
このとき、感度抵抗の切替えは、自動調光中に行うと動作が複雑になるため、基準値を検出する際のみに行う。
【００９１】
このような感度抵抗の切替え動作は、マイコンのプログラムによって自動的に行われ、反射率の変化幅が広い場合に有効である。ただし、検出可能な最大値が低く、調光範囲が広い場合は、切替え段数が多くなりすぎて実質的ではない。特にこのような場合に、基準値や目標値の上限値、下限値の設定が有効である。
【００９２】
本実施形態では、照度検出部１４が、蛍光灯１７の被照射面の反射光を検出し電圧に変換する際に、上限値と下限値の範囲内に設けた閾値を超える場合に閾値の範囲内に入るように感度抵抗を切替える。
よって、反射率の違いに因らず被照射面の照度がほぼ一定となるように、照度検出電圧のずれを確実に補正することができる。
【００９３】
本実施形態では、記憶部２９の基準値記億部が、所定の光出力の検出において、蛍光灯１７の被照射面の反射光を検出し電圧に変換する際にのみ、上限値と下限値の範囲内に設けた閾値を超える場合に閾値の範囲内に入るように感度抵抗を切替える。
よって、反射率の違いに因らず被照射面の照度がほぼ一定となるように、照度検出電圧のずれを確実に補正することができる。
【００９４】
なお、前記実施形態で使用した照明器具１１、リモコン装置１２、蛍光灯１７は例示した形状に限定するものではなく適宜変更が可能である。
【図面の簡単な説明】
【００９５】
【図１】本発明に係る第１実施形態の照明装置の側面図
【図２】図１に示した照明装置の底面図
【図３】図１に示した照明装置のブロック構成図
【図４】図１に示した照明装置における第１補正手段の調光レベルと検出電圧との関係図
【図５】図１に示した照明装置における第２補正手段の調光レベルと検出電圧との関係図
【図６】本発明に係る第２実施形態の照明装置における基準値の設定を説明する調光レベルと検出電圧との関係図
【図７】本発明に係る第２実施形態の照明装置における目標値の設定を説明する調光レベルと検出電圧との関係図
【図８】本発明に係る第３実施形態の照明装置における調光レベルと検出電圧との関係図
【符号の説明】
【００９６】
１０、１１、４０、５０  照明装置
１２  リモコン装置
１４  照度検出部
１７  蛍光灯（光源）（主光源）
１８  点灯回路
２９  記憶部（基準値記憶部、目標値記億部）
３１  制御部
【図１】
2010097898.tif 000003
【図２】
2010097898.tif 000004
【図３】
2010097898.tif 000005
【図４】
2010097898.tif 000006
【図５】
2010097898.tif 000007
【図６】
2010097898.tif 000008
【図７】
2010097898.tif 000009
【図８】
2010097898.tif 000010